(57)【要約】【課題】暴漢が軸部材１の先端側の外周に外嵌した筒状部材３を掴んで使用者側へ押し返した場合に、筒状部材３が回転して力が入らないとともに、使用者側へ押し返す力を緩和して腕力の弱い使用者でも暴漢に押し返されて逃げられる恐れを少なくすること。【解決手段】 軸部材１と捕捉部材２を備えた捕捉器具において、軸部材１の先端側の外周に回転可能に被嵌された軸方向に摺動可能な筒状部材３と、軸部材１の先端側の外周に被嵌されるとともに筒状部材３の内周側に設けられて軸部材１の軸方向に伸縮可能な圧縮コイルばね４とを具備し、圧縮コイルばね４が、その末端部を軸部材１に固着したばね受け部材７に当接するとともに先端部を筒状部材３の先端側に形成されたばね受け部３aに当接し、暴漢が筒状部材３を掴んで押し返したときに、筒状部材３が回転するとともに、押し返す力のエネルギーを圧縮コイルばね４の圧縮で吸収し、押し返す力を緩和する。【選択図】図１
2007278648.tif 000002
【特許請求の範囲】
【請求項１】
末端側に把持部が形成された棒状の軸部材（１）と、軸部材（１）の先端に結合された略U字状の捕捉部材（２）とを備えた捕捉器具であって、軸部材（１）の先端側の外周に回転可能に被嵌されて軸部材（１）の軸方向に摺動可能な筒状部材（３、３３）と、筒状部材（３、３３）と軸部材（１）の間に設けられて、筒状部材（３、３３）に加えられた末端側へ向かう外力を緩和して軸部材（１）へ伝達するコイルばねとを具備したことを特徴とする捕捉器具。
【請求項２】
コイルばねは、軸部材（１）の外周に被嵌されるとともに筒状部材（３）の内周側に設けられて軸部材（１）の軸方向に伸縮可能な圧縮コイルばね（４）からなり、圧縮コイルばね（４）は、末端部が軸部材（１）に固着されたばね受け部材（７）に当接し、先端部が筒状部材（３）の先端側に形成されたばね受け部（３a）に当接することを特徴とする請求項１記載の捕捉器具。  
【請求項３】
コイルばねは、軸部材（１）の外周に被嵌されるとともに筒状部材（３）の内周側に設けられて軸部材（１）の軸方向に伸縮可能な圧縮コイルばね（４）からなり、圧縮コイルばね（４）は、末端部が軸部材（１）に固着されたばね受け部材（７）に当接し、先端部が筒状部材（３）の先端側に固着されたばね受け部材（２１）に当接することを特徴とする請求項１記載の捕捉器具。
【請求項４】
筒状部材（３）の末端部に、筒状部材（３）を軸部材（１）に沿って案内する案内部材（５）を固着したことを特徴とする請求項２又は３記載の捕捉器具。
【請求項５】
コイルばねは、軸部材（１）の外周に被嵌されて軸部材（１）の軸方向に伸縮可能な第１圧縮コイルばね（３４）からなり、第１圧縮コイルばね（３４）は、軸部材（１）の中間部に固着されたばね受け部材（３７）と筒状部材（３３）の間に配設されて、末端部がばね受け部材（３７）に当接するとともに先端部が筒状部材（３３）の末端部に当接し、軸部材（１）の外周に被嵌されて軸部材（１）の軸方向に伸縮可能な第２圧縮コイルばね（３５）を具備し、第２圧縮コイルばね（３５）は、筒状部材（３３）と捕捉部材（２）の間に配設されて、末端部が筒状部材（３３）の先端部に当接し、末端部が捕捉部材（２）に当接することを特徴とする請求項１記載の捕捉器具。
【請求項６】
第１圧縮コイルばね（３４）は、略自由長に近い状態でばね受け部材（３７）と筒状部材（３３）の間に配設され、第２圧縮コイルばね（３５）は、略密巻に近い圧縮状態で筒状部材（３３）と捕捉部材（２）の間に配設され、第１、第２圧縮コイルばね（３４）（３５）は、筒状部材（３３）を介して受けた外力による第１圧縮コイルばね（３４）の撓みが弾性範囲に留まり、前記外力を受けた筒状部材（３３）の摺動で露出した軸部材（１）が第２圧縮コイルばね（３５）の伸張で被嵌され、前記伸張による撓みが弾性範囲に留まるように、それぞれのばね定数が設定されていることを特徴とする請求項５記載の捕捉器具。
【請求項７】
コイルばねは、軸部材（１）の外周に被嵌されて軸部材（１）の軸方向に伸縮可能な引張コイルばね（５４）からなり、引張コイルばね（５４）は、先端部を軸部材（１）と捕捉部材（２）の結合部近傍に掛止し、末端部を筒状部材（３３）の先端側に掛止してなることを特徴とする請求項１記載の捕捉器具。
【請求項８】
把持部は、軸部材（１）の末端側に所定間隔をもって固着された２つのグリップ（Ｇ１）（Ｇ２）からなり、グリップ（Ｇ１）（Ｇ１）のうちの少なくとも先端側のグリップ（Ｇ１）をカバーする防刃カバー（９）を具備したことを特徴とする請求項１、２、３、４、５、６又は７記載の捕捉器具。
【発明の詳細な説明】
【技術分野】
【０００１】
本発明は、棒状の軸部材の先端に略Ｕ字状の捕捉部材を結合（固着）した捕捉器具に関するものである。
【背景技術】
【０００２】
軸部材の先端に捕捉部材を結合した捕捉器具は、一般に刺股（さすまた）と呼ばれ、軸部材の末端側を使用者が把持し、捕捉部材を暴漢や犯罪人等（以下単に暴漢という）の胴部に当てて壁や塀等へ押し付け身動きができないようにするために使用されるものである。  しかし、捕捉部材を暴漢の胴部に当てて壁へ押し付けても、使用者の腕力が弱い場合には、暴漢に軸部材を掴まれて捕捉器具が奪われてしまうという問題点があった。
このような問題点を解決するために、例えば特許文献１、２が提案されている。  
【０００３】
特許文献１には、軸部材の外周に筒状部材を被嵌するとともに、この筒状部材の抜けを防止するストッパーを設けた捕捉器具が提案されている。
この捕捉器具によれば、暴漢が捕捉器具を奪い取ろうとしても、掴んだ筒状部材が回転したり、摺動したり、又は滑動して力が入らず、奪い取られる恐れを低減できるとのことである。
【０００４】
特許文献２には、特許文献１と同様の筒状部材を設けた捕捉器具の他に、軸部材の外周に圧縮コイルばねを被嵌し、この圧縮コイルばねを軸部材の先端側からグリップ部までに配設した捕捉器具が提案されている。
この捕捉器具によれば、暴漢が捕捉器具を奪い取ろうとしても、掴んだ圧縮コイルばねが回転したり、摺動したり、滑動して力が入らず、奪い取られる恐れを低減できるとのことである。  
【特許文献１】特開２００５−１６４２０４
【特許文献２】特開２００５−２４１２１７
【発明の開示】
【発明が解決しようとする課題】
【０００５】
しかしながら、特許文献１に記載の捕捉器具では、筒状部材が軸部材に対して回転、摺動、滑動するように設けられているので、暴漢が筒状部材を掴んで使用者側へ押し返し多場合に、その押し返す力がストッパーを介して軸部材に直接伝達するため、腕力の弱い使用者では押し返されて逃げられてしまうという問題点があった。
【０００６】
また、特許文献２に記載の捕捉器具では、軸部材の外周に圧縮コイルばねを被嵌し、暴漢に掴まれた圧縮コイルばねが回転、摺動、滑動するように形成されているので、圧縮コイルばねの線径が細い場合に暴漢に掴まれると圧縮コイルばねがつぶれて軸部材に圧接するため、暴漢が圧縮コイルばねを掴んで使用者側へ押し返した場合に、その押し返す力の大部分が軸部材に伝達し、特許文献１の場合と同様の問題点があった。
また、圧縮コイルばねの線径を太くしてつぶれないようにした場合には、圧縮コイルばねが軸部材の先端側からグリップ部までに配設されているため、圧縮コイルばねに加わる外力がグリップ部を介して軸部材に直接伝達するため、特許文献１の場合と同様の問題点があった。
【０００７】
本発明は上述の問題点に鑑みなされたもので、暴漢が軸部材の先端側に設けた筒状部材を掴んで使用者側へ押し返した場合に、この押し返す力を緩和して、腕力の弱い使用者でも暴漢に押し返されて逃げられる恐れの少ない捕捉器具を提案することを目的とするものである。
【課題を解決するための手段】
【０００８】
請求項１記載の発明は、末端側に把持部が形成された棒状の軸部材と、前記軸部材の先端に結合された略Ｕ字状の捕捉部材とを備えた捕捉器具であって、前記軸部材の先端側の外周に回転可能に被嵌されて前記軸部材の軸方向に摺動可能な筒状部材と、前記筒状部材と前記軸部材の間に設けられて、前記筒状部材に加えられた末端側へ向う外力を緩和して前記軸部材へ伝達するコイルばねとを具備したことを特徴とする。     
【０００９】
請求項２記載の発明は、請求項１記載の発明において、コイルばねが、軸部材の外周に被嵌されるとともに筒状部材の内周側に設けられて前記軸部材の軸方向に伸縮可能な圧縮コイルばねからなり、前記圧縮コイルばねは、末端部が前記軸部材に固着されたばね受け部材に当接し、先端部が前記筒状部材の先端側に形成されたばね受け部に当接することを特徴とする。 
【００１０】
請求項３記載の発明は、請求項１記載の発明において、コイルばねが、軸部材の外周に被嵌されるとともに筒状部材の内周側に設けられて前記軸部材の軸方向に伸縮可能な圧縮コイルばねからなり、前記圧縮コイルばねは、末端部が前記軸部材に固着されたばね受け部材に当接し、先端部が前記筒状部材の先端側に固着されたばね受け部材に当接することを特徴とする。
【００１１】
請求項４記載の発明は、請求項２又は３記載の発明において、筒状部材の末端部に、前記筒状部材を軸部材に沿って案内する案内部材を固着したことを特徴とする。
【００１２】
請求項５記載の発明は、請求項１記載の発明において、コイルばねが、軸部材の外周に被嵌されて前記軸部材の軸方向に伸縮可能な第１圧縮コイルばねからなり、前記第１圧縮コイルばねは、前記軸部材の中間部に固着されたばね受け部材と筒状部材の間に配設されて、末端部が前記ばね受け部材に当接するとともに先端部が前記筒状部材の末端部当接し、前記軸部材の外周に被嵌されて前記軸部材の軸方向に伸縮可能な第２圧縮コイルばねを具備し、前記第２圧縮コイルばねは、前記筒状部材と前記捕捉部材の間に配設されて、末端部が前記筒状部材の先端部に当接するとともに先端部が前記捕捉部材に当接することを特徴とする。
【００１３】
請求項６記載の発明は、請求項５記載の発明において、第１圧縮コイルばねが、略自由長に近い状態でばね受け部材と筒状部材の間に配設され、第２圧縮コイルばねが、略密巻に近い圧縮状態で前記筒状部材と捕捉部材の間に配設され、前記第１、第２圧縮コイルばねは、筒状部材を介して受けた外力による第１圧縮コイルばねの撓みが弾性範囲に留まり、前記外力を受けた前記筒状部材の摺動で露出した軸部材が前記第２圧縮コイルばねの伸張で被嵌され、前記伸張による撓みが弾性範囲に留まるように、それぞれのばね定数が設定されていることを特徴とする。
【００１４】
請求項７記載の発明は、請求項１記載の発明において、コイルばねが、軸部材の外周に被嵌されて軸部材の軸方向に伸縮可能な引張コイルばねからなり、前記引張コイルばねが、先端部を前記軸部材と捕捉部材の結合部近傍に掛止し、末端部を筒状部材の先端部に掛止してなることを特徴とする。
【００１５】
請求項８記載の発明は、請求項１、２、３、４、５、６又は７記載の発明において、把持部が軸部材の末端側に所定間隔をもって固着された２つのグリップからなり、この２つのグリップのうちの少なくとも先端側のグリップをカバーする防刃カバーを具備したことを特徴とする。
【発明の効果】
【００１６】
請求項１記載の発明は、軸部材と捕捉部材を備えた捕捉器具において、筒状部材とコイルばねとを具備し、筒状部材が軸部材の先端側の外周に回転可能に被嵌されるとともに軸部材の軸方向に摺動可能に形成され、コイルばねが筒状部材に加えられた末端側へ向う外力を緩和して軸部材へ伝達するようにしたので、暴漢が筒状部材を掴んで使用者側へ押し返そうとしても、掴んだ筒状部材が回転して力が入らないとともに、使用者側へ押し返す力がコイルばねで緩和されるので、腕力の弱い使用者でも暴漢に押し返されて逃げられる恐れを少なくすることができる。
【００１７】
請求項２記載の発明は、請求項１記載の発明において、コイルばねが圧縮コイルばねからなり、この圧縮コイルばねが軸部材の外周に被嵌されるとともに筒状部材の内周側に設けられて軸部材の軸方向に伸縮可能に形成され、この圧縮コイルばねの末端部をばね受け部材に当接させ先端部をばね受け部に当接させ、筒状部材に加えられた末端側へ向う外力のエネルギーを圧縮コイルばねの圧縮で吸収して軸部材に伝達するようにしたので、請求項１記載の発明と同様の効果を奏することができる。
さらに、ばね受け部を筒状部材の先端側に形成したので部品点数を少なくすることができる。
【００１８】
請求項３記載の発明は、請求項１記載の発明において、コイルばねが圧縮コイルばねからなり、この圧縮コイルばねが軸部材の外周に被嵌されるとともに筒状部材の内周側に設けられて軸部材の軸方向に伸縮可能に形成され、この圧縮コイルばねの末端部をばね受け部材に当接させ先端部をばね受け部材に当接させ、筒状部材に加えられた末端側へ向う外力のエネルギーを圧縮コイルばねの圧縮で吸収して軸部材に伝達するようにしたので、請求項１記載の発明と同様の効果を奏することができる。
【００１９】
請求項４記載の発明は、請求項２又は３記載の発明において、軸部材の末端側に案内部材を固着して筒状部材を軸部材に沿って案内するようにしたので、筒状部材の摺動時のガタツキを防止して筒状部材に加えられた末端側へ向う外力のエネルギーを圧縮コイルばねで効率的に吸収することができる。
【００２０】
請求項５記載の発明は、請求項１記載の発明において、コイルばねが軸部材の外周に被嵌されて軸部材の軸方向に伸縮可能な第１圧縮コイルばねからなり、この第１圧縮コイルばねをばね受け部材と筒状部材の間に配設して、その末端部をばね受け部材に当接させ先端部を筒状部材の末端部に当接させ、筒状部材に加えられた末端側へ向う外力のエネルギーを第１圧縮コイルばねの圧縮で吸収して軸部材に伝達するようにしたので、請求項１の発明と同様の効果を奏することができる。
さらに、第２圧縮コイルばねが捕捉部材と筒状部材の先端部の間に配設されているので、筒状部材に加えられた外力で筒状部材が末端側へ摺動しても第２圧縮コイルばねの伸長で軸部材の先端側が露出するのを防止でき、暴漢が軸部材を直接把持するのを防止できる。
【００２１】
請求項６記載の発明は、請求項５記載の発明において、第１圧縮コイルばねが略自由長に近い状態でばね受け部材と筒状部材の間に配設され、第２圧縮コイルばねが略密巻に近い圧縮状態で筒状部材と捕捉部材の間に配設され、暴漢によって加えられた外力による第１、第２圧縮コイルばねの撓みが弾性範囲に留まっているので、捕捉器具の使用可能回数を多くすることができる。
さらに、外力を受けた筒状部材の摺動によって軸部材の一部が露出しても、この露出部分を第２圧縮コイルばねの伸長で確実に被嵌するので、暴漢が軸部材を把持して押し返しているときに、暴漢が軸部材を直接把持する余地をなくすことができる。
【００２２】
請求項７記載の発明は、請求項１記載の発明において、コイルばねが軸部材の外周に被嵌されて軸部材の軸方向に伸縮可能な引張コイルばねからなり、この引張コイルばねの先端側を軸部材と捕捉部材の結合部近傍に掛止し、引張コイルばねの末端側を筒状部材の先端側に掛止し、筒状部材に加えられた末端側へ向う外力のエネルギーを引張コイルばねで吸収して軸部材に伝達するようにしたので、請求項１の発明と同様の効果を奏することができる。
【００２３】
請求項８記載の発明は、請求項１、２、３、４、５、６又は７記載の発明において、２つのグリップのうちの少なくとも先端側の暴漢に近いグリップをカバーする防刃カバーを具備するので、暴漢が刃物で襲って来ても使用者の手を刃物から防護することができる。
【実施例】
【００２４】
図１〜図４は本発明による捕捉器具の第１実施例を示すもので、これらの図において、１は軸部材、２は捕捉部材、３は筒状部材、４はコイルばねの一例としての圧縮コイルばね、５は案内部材、６、８は止めねじ、７はばね受け部材、９は防刃カバーである。
【００２５】
軸部材１は、アルミニウムのような軽金属材料で棒状に形成され、外径がＤ１（例えばＤ１＝２５ｍｍ）のパイプから成っている。
捕捉部材２は、アルミニウムのような軽金属材料で略Ｕ字状に形成され、外径がＤ２（例えばＤ２＝２２ｍｍ）のパイプから成っている。
軸部材１は、暴漢と使用者の間を安全な距離に保つために必要な長さＬ０（例えばＬ０＝２ｍ）に形成されている。
捕捉部材２は、その中間部が軸部材１の先端部に結合（例えば溶着）され、暴漢の胴部を捕捉するために必要な所定幅Ｗ（例えばＷ＝６００ｍｍ）に形成されている。
【００２６】
筒状部材３は、アルミニウム等の軽金属材料で外径がＤ３（例えばＤ３＝３２ｍｍ）の円筒状に形成され、軸部材１及び圧縮コイルばね４の外周に回転可能に被嵌され、軸部材１の軸方向に摺動可能に形成されている。
筒状部材３は、捕捉部材２で捕捉された暴漢によって把持可能であり、かつ軸部材１の末端側の露出部分までは把持できない長さＬ１（例えばＬ１＝６５０ｍｍ）に形成されている。
筒状部材３の先端部内側には、筒状部材３の先端縁を内側に折曲した内向きフランジ状のばね受け部３aが形成され、筒状部材３の末端部外側には、軸部材１の軸方向に沿って筒状部材３をガタツキなく案内するための案内部材５が止めねじ６〜６で固着している。
案内部材５は、合成樹脂材料で略環状に形成され、その末端側が内側の折曲されて内向きフランジ状に形成され、その内周面が軸部材１の外周面と僅かな隙間を介して対面している。
【００２７】
圧縮コイルばね４は、ばね鋼やステンレス鋼のようなばね材料で外径Ｄ４（例えばＤ４＝２８ｍｍ）、長さＬ２（例えばＬ２＝６００ｍｍ）のコイル状に形成され、軸部材１の外周に被嵌されるとともに、筒状部材３の内周側に設けられ、軸部材１の軸方向に伸縮可能に形成されている。
圧縮コイルばね４は、略自由長に近い状態でばね受け部３aとばね受け部材７の間に配設され、その先端部が筒状部材３のばね受け部３aに当接し、その末端部がばね受け部材７に当接している。
ばね受け部材７は、金属材料で環状に形成され、止めねじ８〜８で軸部材１に固着されている。
【００２８】
軸部材１の末端側の外周には、使用者が把持するためのグリップＧ１、Ｇ２が所定間隔（例えば５００ｍｍ）をおいて固着されている。
グリップＧ１、Ｇ２は、合成樹脂材料で略円筒状に形成され、表面には把持し易いようにするための凹凸が形成されている。
【００２９】
防刃カバー９は、グリップＧ１を把握する使用者の手を暴漢の刃物から保護するためのもので、図３及び図４に示すように、先端側を閉塞するとともに末端側を開口し、末端側へ向って広がるスカート形状（傾斜した筒状）に形成されている。
防刃カバー９の外形寸法は、使用者がその手を開口部から内側へ容易に挿入してグリップＧ１を把持できるように形成されている。具体的には図３に示すように、先端側の外径がＤＳ（例えばＤＳ＝８０ｍｍ）、末端側の外径がＤＭ（例えばＤＭ＝１８０ｍｍ）、軸方向の長さがＬＪ（例えばＬＪ＝２５０ｍｍ）に形成されている。
【００３０】
防刃カバー９は、図３及び図４にも示すように、金属材料で形成された取付部材１１と、合成樹脂材料で形成された支持部材１２と、アラミド繊維、高強度ポリエチレン繊維又はこれらとガラス繊維で構成された公知の防刃用織物で形成されたカバー部材１３とから成っている。
【００３１】
取付部材１１は、中空円板状の閉塞部１１aと、この閉塞部１１aの内周縁と外周縁に略垂直に連設された円筒状の取付部１１ｂ、１１ｃとから成り、内側の取付部１１ｂは、止めねじ１５〜１５によって、軸部材１の末端側であってグリップＧ１より若干先端側に固着されている。
【００３２】
支持部材１２は、カバー部材１３を支持するために取付部材１１に取付けられるもので、取付部１１ｃの外周に取り付けられる円筒状の第１支持部１２ｂと、軸部材１の末端側のグリップＧ１より末端側の外周の略円心円上に配置される円環状の第２支持部１２ｃと、第１、第２支持部１２ｂ、１２ｃの外周面を円周に沿って４分割する位置に取付けられて、第１、第２支持部１２ｂ、１２ｃの間を連結する長尺状の４本の第３支持部１２ｄ〜１２ｄとから成っている。
【００３３】
カバー部材１３はスカート形状に形成され、リベットやハトメなどの止め具１６〜１６、１７〜１７、１８〜１８によって支持部材１２の外周に取付けられている。
すなわち、カバー部材１３は、その先端側円周部分が止め具１６〜１６によって第３、第１支持部１２ｄ〜１２ｄ、１２ｂ及び取付部１１ｃの対応する重合部分に固着され、その末端側円周部分が止め具１７〜１７によって第３支持部１２ｄ〜１２ｄ及び第２支持部１２ｃの対応する重合部分に固着され、その中間部分が止め具１８〜１８によって第３支持部１２ｄ〜１２ｄの対応する重合部分に固着されている。
【００３４】
つぎに前記実施例の作用について説明する。
（１）使用者が一方の手（例えば右手）でグリップＧ１を把持し、他方の手（例えば左手）でグリップＧ２を把持して捕捉器具を持ち、捕捉部材２の凹部を暴漢の胴部に押し付けることによって、暴漢を捕捉することができる。
このとき、防刃カバー９の末端側が直径ＤＭ（例えばＤＭ＝１８０ｍｍ）の円形状に開口しているので、防刃カバー９内への手の挿入及びグリップＧ１の把持が容易となる。
【００３５】
（２）また、捕捉部材２で捕捉された暴漢が筒状部材３を掴んで捕捉器具を使用者側へ押し返した場合、掴んだ筒状部材３が回転して力が入らないとともに、使用者側へ押し返す力が圧縮コイルばね４を介して軸部材１に伝達されるため、圧縮コイルばね４の圧縮（例えばＬ２から半分のＬ２／２へ圧縮）によるエネルギー吸収で押し返す力（例えば押し返す衝撃力）が緩和されて使用者側へ伝達される。このため、腕力の弱い使用者でも暴漢に押し返されて逃げられる恐れを少なくできる。
このとき、案内部材５によって、筒状部材３の軸部材１に沿った摺動がガタツキなく行われるので、筒状部材３に加えられた押し戻す力のエネルギーを圧縮コイルばね４で効率的に吸収することができる。
【００３６】
（３）また、軸部材１は暴漢と使用者の間を安全な距離に保つために十分な長さＬ０（Ｌ０＝２ｍ）を有しているが、暴漢が刃物で使用者のグリップＧ１を把持する手に切りかかろうとしても、刃の通らない防刃カバー９で保護されているので安全性が向上し、恐怖心を少なくすることができる。
【００３７】
前記実施例では、部品点数を少なくするために、筒状部材３の先端側に先端縁を内側に折曲した内向きフランジ状のばね受け部３aを形成し、このばね受け部３aに圧縮コイルばね４の先端部を当接させるようにしたが、本発明はこれに限るものでなく、図５に示すように、筒状部材３の先端部に形成されたばね受け部３aの代わりに筒状部材３の先端部の内周面に環状のばね受け部材２１を止めねじ２２〜２２で固着し、このばね受け部材２１に圧縮コイルばね４の先端部を当接させるようにした場合についても利用することができる。
【００３８】
前記実施例では、筒状部材３の摺動時のガタツキを防止して筒状部材３に加えられた押し戻す力のエネルギーを圧縮コイルばね４で効率的に吸収するために、筒状部材３の末端側に案内部材５を固着した場合について説明したが、本発明はこれに限るものでなく、筒状部材３を省略した場合についても利用することができる。
【００３９】
前記実施例では、軸部材の外周に圧縮コイルばねを外嵌し、この圧縮コイルばねの外周に軸方向に摺動可能な筒状部材を外嵌し、筒状部材に加えられた外力のエネルギーを圧縮コイルばねで吸収するようにしたが、本発明はこれに限るものでなく、軸部材の外周に直列に配置された筒状部材と圧縮コイルばねを外嵌し、筒状部材に加えられた外力のエネルギーを圧縮コイルばねで吸収するようにした場合についても利用することができる。
【００４０】
例えば、図６及び図７に示すように、軸方向に伸縮可能な第１圧縮コイルばね３４と、軸方向に摺動可能かつ軸の円周方向に回転可能な筒状部材３３と、軸方向に伸縮可能な第２圧縮コイルばね３５とを、軸部材１の外周に末端側から先端側へ直列に外嵌し、第１圧縮コイルばね３４の末端部を軸部材１の中間部に止めねじ３６〜３６で固着された環状のばね受け部材３７に当接させ、筒状部材３３に加えられた末端側へ向かう外力のエネルギーを第１圧縮コイルばね３４の圧縮で吸収して暴漢による使用者側への押し返し力を緩和するようにしてもよい。
【００４１】
図６及び図７において、第１圧縮コイルばね３４は、長さＬ１２（例えばＬ１２＝３５０ｍｍ）の略自由長に近い状態で筒状部材３３とばね受け部材３７の間に配設され、第２圧縮コイルばね３５は、暴漢によって把持し難い長さＬ１３（例えばＬ１３＝１００ｍｍ）の略密巻に近い圧縮状態で捕捉部材２と筒状部材３３の間に配設され、筒状部材３３は、暴漢によって把持可能な長さＬ１１（例えばＬ１１＝５００ｍｍ）の円筒状に形成されている。
第１、第２圧縮コイルばね３４、３５は、暴漢によって筒状部材３３に加えられる押し返し力の有無に応じて伸縮する撓みが弾性範囲に留まり、かつ軸部材１が露出しないようなばね定数に設定されている。
筒状部材３３、第１、第２圧縮コイルばね３４、３５は外径が略同一のＤ４（例えばＤ４＝２８ｍｍ）に形成され、相互の力の伝達が安定的かつ効率的となるように形成されている。
【００４２】
前記実施例では、コイルばねが圧縮コイルばねの場合について説明したが本発明はこれに限るものでなく、コイルばねが引張コイルばねの場合についても利用することができる。
例えば図８に示すように、外径Ｄ４、長さＬ１１のパイプ状の筒状部材３３を、軸部材１の先端側の外周に軸方向に摺動可能かつ軸の円周方向に回転可能に外嵌し、この筒状部材３３の先端側に形成された掛止孔５１と、捕捉部材２と軸部材１の結合部近傍に形成された掛止孔５２とに引張コイルばね５４のフック部５４a、５４ｂを掛止し、筒状部材３３に加えられた外力を引張コイルばね５４の引張によるエネルギー吸収により、暴漢による使用者側への押し返し力を緩和するようにしてもよい。
引張コイルばね５４のコイル部５４ｃは、筒状部材３３と略同一の外径Ｄ４で、長さＬ１３（例えばＬ１３＝１００ｍｍ）のコイル状に形成されている。
図８に示す実施例では、未使用状態において引張コイルばね５４に負荷が加わっていないので、引張コイルばね５４のヘタリを緩和して寿命を長くすることができる。
【００４３】
前記実施例では、軸部材の末端側に防刃カバーを取り付けた場合について説明したが、本発明はこれに限るものでなく、防刃カバーを省略した場合についても利用することができる。
【００４４】
なお、図９に示すように、軸部材１と捕捉部材２を備えた汎用の捕捉器具の把持部（例えばグリップＧ１）の外周に、本発明で利用した防刃カバー９を固着することによって、暴漢等が刃物をもって使用者のグリップＧ１を把持する手に切りつけようとしても、刃の通らない防刃カバー９で防護され、安全性の向上と恐怖心の除去を図ることができる。
【図面の簡単な説明】
【００４５】
【図１】本発明の一実施例を示す概略平面図である。
【図２】図１の一部を拡大するとともに断面図で表わした部分拡大断面図である。
【図３】図１中の防刃カバー９周辺部分の拡大断面を表わすもので、図４のＡ−Ａ線断面図でもある。
【図４】図１中の防刃カバー９周辺部分の拡大正面を表わす部分拡大正面図である。
【図５】第１実施例における筒状部材３のばね受け部３ａの変形例（ばね受け部材２１）を表わす部分拡大断面図である。
【図６】本発明の第２実施例を示す概略平面図である。
【図７】図６の一部を拡大するとともに断面で表わした部分拡大断面図である。
【図８】本発明の第３実施例を示す概略平面図である。
【図９】汎用の捕捉器具に本発明で利用した防刃カバー９を取り付けた例を示す概略平面図である。
【符号の説明】
【００４６】
１…軸部材
２…捕捉部材
３、３３…筒状部材  
３a…ばね受け部  
４…圧縮コイルばね（コイルばねの一例）
５…案内部材
７、２１、３７…ばね受け部材
９…防刃カバー
３４…第１圧縮コイルばね（コイルばねの一例） 
３５…第２圧縮コイルばね      
５４…引張コイルばね（コイルばねの一例）      
Ｇ１、Ｇ２…グリップ（把持部の一例）
【図１】
2007278648.tif 000003
【図２】
2007278648.tif 000004
【図３】
2007278648.tif 000005
【図４】
2007278648.tif 000006
【図５】
2007278648.tif 000007
【図６】
2007278648.tif 000008
【図７】
2007278648.tif 000009
【図８】
2007278648.tif 000010
【図９】
2007278648.tif 000011
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
末端側に把持部が形成された棒状の軸部材（１）と、軸部材（１）の先端に結合された略U字状の捕捉部材（２）とを備えた捕捉器具であって、軸部材（１）の先端側の外周に回転可能に被嵌されて軸部材（１）の軸方向に摺動可能な筒状部材（３）と、軸部材（１）の外周に被嵌されるとともに筒状部材（３）の内周側に設けられて軸部材（１）の軸方向に伸縮可能な圧縮コイルばね（４）とを具備し、圧縮コイルばね（４）は、末端部が軸部材（１）に固着されたばね受け部材（７）に当接し、先端部が筒状部材（３）の先端側に形成されたばね受け部（３a）に当接することを特徴とする捕捉器具。
【請求項２】
末端側に把持部が形成された棒状の軸部材（１）と、軸部材（１）の先端に結合された略U字状の捕捉部材（２）とを備えた捕捉器具であって、軸部材（１）の先端側の外周に回転可能に被嵌されて軸部材（１）の軸方向に摺動可能な筒状部材（３）と、軸部材（１）の外周に被嵌されるとともに筒状部材（３）の内周側に設けられて軸部材（１）の軸方向に伸縮可能な圧縮コイルばね（４）とを具備し、圧縮コイルばね（４）は、末端部が軸部材（１）に固着されたばね受け部材（７）に当接し、先端部が筒状部材（３）の先端側に固着されたばね受け部材（２１）に当接することを特徴とする捕捉器具。
【請求項３】
筒状部材（３）の末端部に、筒状部材（３）を軸部材（１）に沿って案内する案内部材（５）を固着したことを特徴とする請求項１又は２記載の捕捉器具。
【請求項４】
末端側に把持部が形成された棒状の軸部材（１）と、軸部材（１）の先端に結合された略U字状の捕捉部材（２）とを備えた捕捉器具であって、軸部材（１）の外周に被嵌されるとともに末端側から先端側へ向けて直列に配設された第１圧縮コイルばね（３４）、筒状部材（３３）、第２圧縮コイルばね（３５）を具備し、第１圧縮コイルばね（３４）は、末端部が軸部材（１）の中間部に固着されたばね受け部材（３７）に当接するとともに先端部が筒状部材（３３）の末端部に当接し、筒状部材（３３）は軸部材（１）の軸方向に摺動可能に被嵌され、第２圧縮コイルばね（３５）は、末端部が筒状部材（３３）の先端部に当接し、先端部が捕捉部材（２）に当接することを特徴とする捕捉器具。
【請求項５】
第１圧縮コイルばね（３４）は、略自由長に近い状態でばね受け部材（３７）と筒状部材（３３）の間に配設され、第２圧縮コイルばね（３５）は、略密巻に近い圧縮状態で筒状部材（３３）と捕捉部材（２）の間に配設され、第１、第２圧縮コイルばね（３４）（３５）は、筒状部材（３３）を介して受けた外力による第１圧縮コイルばね（３４）の撓みが弾性範囲に留まり、前記外力を受けた筒状部材（３３）の摺動で露出した軸部材（１）が第２圧縮コイルばね（３５）の伸張で被嵌され、前記伸張による撓みが弾性範囲に留まるように、それぞれのばね定数が設定されていることを特徴とする請求項４記載の捕捉器具。
【請求項６】
把持部は、軸部材（１）の末端側に所定間隔をもって固着された２つのグリップ（Ｇ１）（Ｇ２）からなり、グリップ（Ｇ１）（Ｇ１）のうちの少なくとも先端側のグリップ（Ｇ１）をカバーする防刃カバー（９）を具備したことを特徴とする請求項１、２、３、４又は５記載の捕捉器具。
【手続補正２】
【補正対象書類名】明細書
【補正対象項目名】全文
【補正方法】変更
【補正の内容】
【発明の詳細な説明】
【技術分野】
【０００１】
本発明は、棒状の軸部材の先端に略Ｕ字状の捕捉部材を結合（固着）した捕捉器具に関するものである。
【背景技術】
【０００２】
軸部材の先端に捕捉部材を結合した捕捉器具は、一般に刺股（さすまた）と呼ばれ、軸部材の末端側を使用者が把持し、捕捉部材を暴漢や犯罪人等（以下単に暴漢という）の胴部に当てて壁や塀等へ押し付け身動きができないようにするために使用されるものである。  しかし、捕捉部材を暴漢の胴部に当てて壁へ押し付けても、使用者の腕力が弱い場合には、暴漢に軸部材を掴まれて捕捉器具が奪われてしまうという問題点があった。
このような問題点を解決するために、例えば特許文献１、２が提案されている。  
【０００３】
特許文献１には、軸部材の外周に筒状部材を被嵌するとともに、この筒状部材の抜けを防止するストッパーを設けた捕捉器具が提案されている。
この捕捉器具によれば、暴漢が捕捉器具を奪い取ろうとしても、掴んだ筒状部材が回転したり、摺動したり、又は滑動して力が入らず、奪い取られる恐れを低減できるとのことである。
【０００４】
特許文献２には、特許文献１と同様の筒状部材を設けた捕捉器具の他に、軸部材の外周に圧縮コイルばねを被嵌し、この圧縮コイルばねを軸部材の先端側からグリップ部までに配設した捕捉器具が提案されている。
この捕捉器具によれば、暴漢が捕捉器具を奪い取ろうとしても、掴んだ圧縮コイルばねが回転したり、摺動したり、滑動して力が入らず、奪い取られる恐れを低減できるとのことである。  
【特許文献１】特開２００５−１６４２０４
【特許文献２】特開２００５−２４１２１７
【発明の開示】
【発明が解決しようとする課題】
【０００５】
しかしながら、特許文献１に記載の捕捉器具では、筒状部材が軸部材に対して回転、摺動、滑動するように設けられているので、暴漢が筒状部材を掴んで使用者側へ押し返し多場合に、その押し返す力がストッパーを介して軸部材に直接伝達するため、腕力の弱い使用者では押し返されて逃げられてしまうという問題点があった。
【０００６】
また、特許文献２に記載の捕捉器具では、軸部材の外周に圧縮コイルばねを被嵌し、暴漢に掴まれた圧縮コイルばねが回転、摺動、滑動するように形成されているので、圧縮コイルばねの線径が細い場合に暴漢に掴まれると圧縮コイルばねがつぶれて軸部材に圧接するため、暴漢が圧縮コイルばねを掴んで使用者側へ押し返した場合に、その押し返す力の大部分が軸部材に伝達し、特許文献１の場合と同様の問題点があった。
また、圧縮コイルばねの線径を太くしてつぶれないようにした場合には、圧縮コイルばねが軸部材の先端側からグリップ部までに配設されているため、圧縮コイルばねに加わる外力がグリップ部を介して軸部材に直接伝達するため、特許文献１の場合と同様の問題点があった。
【０００７】
本発明は上述の問題点に鑑みなされたもので、暴漢が軸部材の先端側に設けた筒状部材を掴んで使用者側へ押し返した場合に、この押し返す力を緩和して、腕力の弱い使用者でも暴漢に押し返されて逃げられる恐れの少ない捕捉器具を提案することを目的とするものである。
【課題を解決するための手段】
【０００８】
請求項１記載の発明は、末端側に把持部が形成された棒状の軸部材と、前記軸部材の先端に結合された略Ｕ字状の捕捉部材とを備えた捕捉器具であって、前記軸部材の先端側の外周に回転可能に被嵌されて前記軸部材の軸方向に摺動可能な筒状部材と、前記軸部材の外周に被嵌されるとともに前記筒状部材の内周側に設けられて前記軸部材の軸方向に伸縮可能な圧縮コイルばねとを具備し、前記圧縮コイルばねは、末端部が前記軸部材に固着されたばね受け部材に当接し、先端部が前記筒状部材の先端側に形成されたばね受け部に当接することを特徴とする。 
【０００９】
請求項２記載の発明は、末端側に把持部が形成された棒状の軸部材と、前記軸部材の先端に結合された略Ｕ字状の捕捉部材とを備えた捕捉器具であって、前記軸部材の先端側の外周に回転可能に被嵌されて前記軸部材の軸方向に摺動可能な筒状部材と、前記軸部材の外周に被嵌されるとともに前記筒状部材の内周側に設けられて前記軸部材の軸方向に伸縮可能な圧縮コイルばねとを具備し、前記圧縮コイルばねは、末端部が前記軸部材に固着されたばね受け部材に当接し、先端部が前記筒状部材の先端側に固着されたばね受け部材に当接することを特徴とする。
【００１０】
請求項３記載の発明は、請求項１又は２記載の発明において、筒状部材の末端部に、前記筒状部材を軸部材に沿って案内する案内部材を固着したことを特徴とする。
【００１１】
請求項４記載の発明は、末端側に把持部が形成された棒状の軸部材と、前記軸部材の先端に結合された略U字状の捕捉部材とを備えた捕捉器具であって、前記軸部材の外周に被嵌されるとともに末端側から先端側へ向けて直列に配設された第１圧縮コイルばね、筒状部材、第２圧縮コイルばねを具備し、前記第１圧縮コイルばねは、末端部が前記軸部材の中間部に固着されたばね受け部材に当接するとともに先端部が前記筒状部材の末端部に当接し、前記筒状部材は前記軸部材の軸方向に摺動可能に被嵌され、前記第２圧縮コイルばねは、末端部が前記筒状部材の先端部に当接し、先端部が前記捕捉部材に当接することを特徴とする。
【００１２】
請求項５記載の発明は、請求項４記載の発明において、第１圧縮コイルばねが、略自由長に近い状態でばね受け部材と筒状部材の間に配設され、第２圧縮コイルばねが、略密巻に近い圧縮状態で前記筒状部材と捕捉部材の間に配設され、前記第１、第２圧縮コイルばねは、前記筒状部材を介して受けた外力による前記第１圧縮コイルばねの撓みが弾性範囲に留まり、前記外力を受けた前記筒状部材の摺動で露出した軸部材が前記第２圧縮コイルばねの伸張で被嵌され、前記伸張による撓みが弾性範囲に留まるように、それぞれのばね定数が設定されていることを特徴とする。
【００１３】
請求項６記載の発明は、請求項１、２、３、４又は５記載の発明において、把持部が軸部材の末端側に所定間隔をもって固着された２つのグリップからなり、この２つのグリップのうちの少なくとも先端側のグリップをカバーする防刃カバーを具備したことを特徴とする。
【発明の効果】
【００１４】
請求項１記載の発明は、軸部材と捕捉部材を備えた捕捉器具において、筒状部材と圧縮コイルばねとを具備し、筒状部材が軸部材の先端側の外周に回転可能に被嵌されるとともに軸部材の軸方向に摺動可能に形成され、圧縮コイルばねが軸部材の外周に被嵌されるとともに筒状部材の内周側に設けられて軸部材の軸方向に伸縮可能に形成され、この圧縮コイルばねの末端部をばね受け部材に当接させ先端部をばね受け部に当接させ、筒状部材に加えられた末端側へ向う外力のエネルギーを圧縮コイルばねの圧縮で吸収して軸部材に伝達するようにしたので、暴漢が筒状部材を掴んで使用者側へ押し返そうとしても、掴んだ筒状部材が回転して力が入らないとともに、使用者側へ押し返す力がコイルばねで緩和され、腕力の弱い使用者でも暴漢に押し返されて逃げられる恐れを少なくすることができる。
さらに、ばね受け部を筒状部材の先端側に形成したので部品点数を少なくすることができる。
【００１５】
請求項２記載の発明は、軸部材と捕捉部材を備えた捕捉器具において、筒状部材と圧縮コイルばねとを具備し、筒状部材が軸部材の先端側の外周に回転可能に被嵌されるとともに軸部材の軸方向に摺動可能に形成され、圧縮コイルばねが軸部材の外周に被嵌されるとともに筒状部材の内周側に設けられて軸部材の軸方向に伸縮可能に形成され、この圧縮コイルばねの末端部をばね受け部材に当接させ先端部をばね受け部材に当接させ、筒状部材に加えられた末端側へ向う外力のエネルギーを圧縮コイルばねの圧縮で吸収して軸部材に伝達するようにしたので、暴漢が筒状部材を掴んで使用者側へ押し返そうとしても、掴んだ筒状部材が回転して力が入らないとともに、使用者側へ押し返す力がコイルばねで緩和され、腕力の弱い使用者でも暴漢に押し返されて逃げられる恐れを少なくすることができる。
【００１６】
請求項３記載の発明は、請求項１又は２記載の発明において、軸部材の末端側に案内部材を固着して筒状部材を軸部材に沿って案内するようにしたので、筒状部材の摺動時のガタツキを防止して筒状部材に加えられた末端側へ向う外力のエネルギーを圧縮コイルばねで効率的に吸収することができる。
【００１７】
請求項４記載の発明は、軸部材と捕捉部材を備えた捕捉器具において、軸部材の外周に被嵌されるとともに末端側から先端側へ向けて直列に配設された第１圧縮コイルばね、筒状部材、第２圧縮コイルばねを具備し、第１圧縮コイルばねの末端部をばね受け部材に当接させ先端部を筒状部材の末端部に当接させ、筒状部材に加えられた末端側へ向う外力のエネルギーを第１圧縮コイルばねの圧縮で吸収して軸部材に伝達するようにしたので、暴漢が筒状部材を掴んで使用者側へ押し返そうとしても、掴んだ筒状部材が回転して力が入らないとともに、使用者側へ押し返す力がコイルばねで緩和され、腕力の弱い使用者でも暴漢に押し返されて逃げられる恐れを少なくすることができる。
さらに、第２圧縮コイルばねが捕捉部材と筒状部材の先端部の間に配設されているので、筒状部材に加えられた外力で筒状部材が末端側へ摺動しても第２圧縮コイルばねの伸長で軸部材の先端側が露出するのを防止でき、暴漢が軸部材を直接把持するのを防止できる。
【００１８】
請求項５記載の発明は、請求項４記載の発明において、第１圧縮コイルばねが略自由長に近い状態でばね受け部材と筒状部材の間に配設され、第２圧縮コイルばねが略密巻に近い圧縮状態で筒状部材と捕捉部材の間に配設され、暴漢によって加えられた外力による第１、第２圧縮コイルばねの撓みが弾性範囲に留まっているので、捕捉器具の使用可能回数を多くすることができる。
さらに、外力を受けた筒状部材の摺動によって軸部材の一部が露出しても、この露出部分を第２圧縮コイルばねの伸長で確実に被嵌するので、暴漢が軸部材を把持して押し返しているときに、暴漢が軸部材を直接把持する余地をなくすことができる。
【００１９】
請求項６記載の発明は、請求項１、２、３、４又は５記載の発明において、２つのグリップのうちの少なくとも先端側の暴漢に近いグリップをカバーする防刃カバーを具備するので、暴漢が刃物で襲って来ても使用者の手を刃物から防護することができる。
【実施例】
【００２０】
図１〜図４は本発明による捕捉器具の第１実施例を示すもので、これらの図において、１は軸部材、２は捕捉部材、３は筒状部材、４はコイルばねの一例としての圧縮コイルばね、５は案内部材、６、８は止めねじ、７はばね受け部材、９は防刃カバーである。
【００２１】
軸部材１は、アルミニウムのような軽金属材料で棒状に形成され、外径がＤ１（例えばＤ１＝２５ｍｍ）のパイプから成っている。
捕捉部材２は、アルミニウムのような軽金属材料で略Ｕ字状に形成され、外径がＤ２（例えばＤ２＝２２ｍｍ）のパイプから成っている。
軸部材１は、暴漢と使用者の間を安全な距離に保つために必要な長さＬ０（例えばＬ０＝２ｍ）に形成されている。
捕捉部材２は、その中間部が軸部材１の先端部に結合（例えば溶着）され、暴漢の胴部を捕捉するために必要な所定幅Ｗ（例えばＷ＝６００ｍｍ）に形成されている。
【００２２】
筒状部材３は、アルミニウム等の軽金属材料で外径がＤ３（例えばＤ３＝３２ｍｍ）の円筒状に形成され、軸部材１及び圧縮コイルばね４の外周に回転可能に被嵌され、軸部材１の軸方向に摺動可能に形成されている。
筒状部材３は、捕捉部材２で捕捉された暴漢によって把持可能であり、かつ軸部材１の末端側の露出部分までは把持できない長さＬ１（例えばＬ１＝６５０ｍｍ）に形成されている。
筒状部材３の先端部内側には、筒状部材３の先端縁を内側に折曲した内向きフランジ状のばね受け部３aが形成され、筒状部材３の末端部外側には、軸部材１の軸方向に沿って筒状部材３をガタツキなく案内するための案内部材５が止めねじ６〜６で固着している。
案内部材５は、合成樹脂材料で略環状に形成され、その末端側が内側の折曲されて内向きフランジ状に形成され、その内周面が軸部材１の外周面と僅かな隙間を介して対面している。
【００２３】
圧縮コイルばね４は、ばね鋼やステンレス鋼のようなばね材料で外径Ｄ４（例えばＤ４＝２８ｍｍ）、長さＬ２（例えばＬ２＝６００ｍｍ）のコイル状に形成され、軸部材１の外周に被嵌されるとともに、筒状部材３の内周側に設けられ、軸部材１の軸方向に伸縮可能に形成されている。
圧縮コイルばね４は、略自由長に近い状態でばね受け部３aとばね受け部材７の間に配設され、その先端部が筒状部材３のばね受け部３aに当接し、その末端部がばね受け部材７に当接している。
ばね受け部材７は、金属材料で環状に形成され、止めねじ８〜８で軸部材１に固着されている。
【００２４】
軸部材１の末端側の外周には、使用者が把持するためのグリップＧ１、Ｇ２が所定間隔（例えば５００ｍｍ）をおいて固着されている。
グリップＧ１、Ｇ２は、合成樹脂材料で略円筒状に形成され、表面には把持し易いようにするための凹凸が形成されている。
【００２５】
防刃カバー９は、グリップＧ１を把握する使用者の手を暴漢の刃物から保護するためのもので、図３及び図４に示すように、先端側を閉塞するとともに末端側を開口し、末端側へ向って広がるスカート形状（傾斜した筒状）に形成されている。
防刃カバー９の外形寸法は、使用者がその手を開口部から内側へ容易に挿入してグリップＧ１を把持できるように形成されている。具体的には図３に示すように、先端側の外径がＤＳ（例えばＤＳ＝８０ｍｍ）、末端側の外径がＤＭ（例えばＤＭ＝１８０ｍｍ）、軸方向の長さがＬＪ（例えばＬＪ＝２５０ｍｍ）に形成されている。
【００２６】
防刃カバー９は、図３及び図４にも示すように、金属材料で形成された取付部材１１と、合成樹脂材料で形成された支持部材１２と、アラミド繊維、高強度ポリエチレン繊維又はこれらとガラス繊維で構成された公知の防刃用織物で形成されたカバー部材１３とから成っている。
【００２７】
取付部材１１は、中空円板状の閉塞部１１aと、この閉塞部１１aの内周縁と外周縁に略垂直に連設された円筒状の取付部１１ｂ、１１ｃとから成り、内側の取付部１１ｂは、止めねじ１５〜１５によって、軸部材１の末端側であってグリップＧ１より若干先端側に固着されている。
【００２８】
支持部材１２は、カバー部材１３を支持するために取付部材１１に取付けられるもので、取付部１１ｃの外周に取り付けられる円筒状の第１支持部１２ｂと、軸部材１の末端側のグリップＧ１より末端側の外周の略円心円上に配置される円環状の第２支持部１２ｃと、第１、第２支持部１２ｂ、１２ｃの外周面を円周に沿って４分割する位置に取付けられて、第１、第２支持部１２ｂ、１２ｃの間を連結する長尺状の４本の第３支持部１２ｄ〜１２ｄとから成っている。
【００２９】
カバー部材１３はスカート形状に形成され、リベットやハトメなどの止め具１６〜１６、１７〜１７、１８〜１８によって支持部材１２の外周に取付けられている。
すなわち、カバー部材１３は、その先端側円周部分が止め具１６〜１６によって第３、第１支持部１２ｄ〜１２ｄ、１２ｂ及び取付部１１ｃの対応する重合部分に固着され、その末端側円周部分が止め具１７〜１７によって第３支持部１２ｄ〜１２ｄ及び第２支持部１２ｃの対応する重合部分に固着され、その中間部分が止め具１８〜１８によって第３支持部１２ｄ〜１２ｄの対応する重合部分に固着されている。
【００３０】
つぎに前記実施例の作用について説明する。
（１）使用者が一方の手（例えば右手）でグリップＧ１を把持し、他方の手（例えば左手）でグリップＧ２を把持して捕捉器具を持ち、捕捉部材２の凹部を暴漢の胴部に押し付けることによって、暴漢を捕捉することができる。
このとき、防刃カバー９の末端側が直径ＤＭ（例えばＤＭ＝１８０ｍｍ）の円形状に開口しているので、防刃カバー９内への手の挿入及びグリップＧ１の把持が容易となる。
【００３１】
（２）また、捕捉部材２で捕捉された暴漢が筒状部材３を掴んで捕捉器具を使用者側へ押し返した場合、掴んだ筒状部材３が回転して力が入らないとともに、使用者側へ押し返す力が圧縮コイルばね４を介して軸部材１に伝達されるため、圧縮コイルばね４の圧縮（例えばＬ２から半分のＬ２／２へ圧縮）によるエネルギー吸収で押し返す力（例えば押し返す衝撃力）が緩和されて使用者側へ伝達される。このため、腕力の弱い使用者でも暴漢に押し返されて逃げられる恐れを少なくできる。
このとき、案内部材５によって、筒状部材３の軸部材１に沿った摺動がガタツキなく行われるので、筒状部材３に加えられた押し戻す力のエネルギーを圧縮コイルばね４で効率的に吸収することができる。
【００３２】
（３）また、軸部材１は暴漢と使用者の間を安全な距離に保つために十分な長さＬ０（Ｌ０＝２ｍ）を有しているが、暴漢が刃物で使用者のグリップＧ１を把持する手に切りかかろうとしても、刃の通らない防刃カバー９で保護されているので安全性が向上し、恐怖心を少なくすることができる。
【００３３】
前記実施例では、部品点数を少なくするために、筒状部材３の先端側に先端縁を内側に折曲した内向きフランジ状のばね受け部３aを形成し、このばね受け部３aに圧縮コイルばね４の先端部を当接させるようにしたが、本発明はこれに限るものでなく、図５に示すように、筒状部材３の先端部に形成されたばね受け部３aの代わりに筒状部材３の先端部の内周面に環状のばね受け部材２１を止めねじ２２〜２２で固着し、このばね受け部材２１に圧縮コイルばね４の先端部を当接させるようにした場合についても利用することができる。
【００３４】
前記実施例では、筒状部材３の摺動時のガタツキを防止して筒状部材３に加えられた押し戻す力のエネルギーを圧縮コイルばね４で効率的に吸収するために、筒状部材３の末端側に案内部材５を固着した場合について説明したが、本発明はこれに限るものでなく、筒状部材３を省略した場合についても利用することができる。
【００３５】
前記実施例では、軸部材の外周に圧縮コイルばねを外嵌し、この圧縮コイルばねの外周に軸方向に摺動可能な筒状部材を外嵌し、筒状部材に加えられた外力のエネルギーを圧縮コイルばねで吸収するようにしたが、本発明はこれに限るものでなく、軸部材の外周に直列に配置された筒状部材と圧縮コイルばねを外嵌し、筒状部材に加えられた外力のエネルギーを圧縮コイルばねで吸収するようにした場合についても利用することができる。
【００３６】
例えば、図６及び図７に示すように、軸方向に伸縮可能な第１圧縮コイルばね３４と、軸方向に摺動可能かつ軸の円周方向に回転可能な筒状部材３３と、軸方向に伸縮可能な第２圧縮コイルばね３５とを、軸部材１の外周に末端側から先端側へ直列に外嵌し、第１圧縮コイルばね３４の末端部を軸部材１の中間部に止めねじ３６〜３６で固着された環状のばね受け部材３７に当接させ、筒状部材３３に加えられた末端側へ向かう外力のエネルギーを第１圧縮コイルばね３４の圧縮で吸収して暴漢による使用者側への押し返し力を緩和するようにしてもよい。
【００３７】
図６及び図７において、第１圧縮コイルばね３４は、長さＬ１２（例えばＬ１２＝３５０ｍｍ）の略自由長に近い状態で筒状部材３３とばね受け部材３７の間に配設され、第２圧縮コイルばね３５は、暴漢によって把持し難い長さＬ１３（例えばＬ１３＝１００ｍｍ）の略密巻に近い圧縮状態で捕捉部材２と筒状部材３３の間に配設され、筒状部材３３は、暴漢によって把持可能な長さＬ１１（例えばＬ１１＝５００ｍｍ）の円筒状に形成されている。
第１、第２圧縮コイルばね３４、３５は、暴漢によって筒状部材３３に加えられる押し返し力の有無に応じて伸縮する撓みが弾性範囲に留まり、かつ軸部材１が露出しないようなばね定数に設定されている。
筒状部材３３、第１、第２圧縮コイルばね３４、３５は外径が略同一のＤ４（例えばＤ４＝２８ｍｍ）に形成され、相互の力の伝達が安定的かつ効率的となるように形成されている。
【００３８】
前記実施例では、軸部材の末端側に防刃カバーを取り付けた場合について説明したが、本発明はこれに限るものでなく、防刃カバーを省略した場合についても利用することができる。
【００３９】
なお、図８に示すように、軸部材１と捕捉部材２を備えた汎用の捕捉器具の把持部（例えばグリップＧ１）の外周に、本発明で利用した防刃カバー９を固着することによって、暴漢等が刃物をもって使用者のグリップＧ１を把持する手に切りつけようとしても、刃の通らない防刃カバー９で防護され、安全性の向上と恐怖心の除去を図ることができる。
【図面の簡単な説明】
【００４０】
【図１】本発明の一実施例を示す概略平面図である。
【図２】図１の一部を拡大するとともに断面図で表わした部分拡大断面図である。
【図３】図１中の防刃カバー９周辺部分の拡大断面を表わすもので、図４のＡ−Ａ線断面図でもある。
【図４】図１中の防刃カバー９周辺部分の拡大正面を表わす部分拡大正面図である。
【図５】第１実施例における筒状部材３のばね受け部３ａの変形例（ばね受け部材２１）を表わす部分拡大断面図である。
【図６】本発明の第２実施例を示す概略平面図である。
【図７】図６の一部を拡大するとともに断面で表わした部分拡大断面図である。
【図８】汎用の捕捉器具に本発明で利用した防刃カバー９を取り付けた例を示す概略平面図である。
【符号の説明】
【００４１】
１…軸部材
２…捕捉部材
３、３３…筒状部材  
３a…ばね受け部  
４…圧縮コイルばね
５…案内部材
７、２１、３７…ばね受け部材
９…防刃カバー
３４…第１圧縮コイルばね 
３５…第２圧縮コイルばね      
Ｇ１、Ｇ２…グリップ（把持部の一例）
【手続補正３】
【補正対象書類名】図面
【補正対象項目名】図８
【補正方法】変更
【補正の内容】
【図８】
2007278648.tif 000012
【手続補正４】
【補正対象書類名】図面
【補正対象項目名】図９
【補正方法】削除
【補正の内容】